(57)【要約】  情報分析装置（１）は、処理部（２）と記憶部（３）とを有し、処理部（２）は、取得した第１の情報（５１Ａ）に基づいて作業者の行動速度及び作業者の位置の少なくとも一方を含む作業者情報（Ａ＿ｉ）を算出して記憶部（３）に記憶させ、取得した第２の情報（５２Ｂ）に基づいて作業の進捗速度を含む作業進捗情報（Ｂ＿ｊ）を算出して記憶部（３）に記憶させ、取得した第３の情報（５３Ｃ）に基づいて生産物の在庫量及び生産物の位置の少なくとも一方を含む生産物情報（Ｃ＿ｋ）を算出して記憶部（３）に記憶させ、記憶部（３）に蓄積された作業者情報（Ａ＿ｉ）、作業進捗情報（Ｂ＿ｊ）、及び生産物情報（Ｃ＿ｋ）の内の少なくとも２つの情報の関連を示すデータを予め定められた複数の時間帯（＃１，…，＃ｍ，…，＃Ｍ）毎に生成し、複数の時間帯毎に生成された複数のデータを情報提示部（４）に出力する。
2019159268.tif 000002
【特許請求の範囲】
【請求項１】
生産物を生産する作業に関する情報を分析する情報分析装置であって、
情報を処理する処理部と、
記憶部と、
を有し、
前記処理部は、
作業者の行動を検出する第１の検出部から取得した第１の情報に基づいて前記作業者の行動速度及び前記作業者の位置の少なくとも一方を含む作業者情報を算出して前記記憶部に記憶させる作業者情報算出部と、
前記作業者によって行われる前記作業を検出する第２の検出部から取得した第２の情報に基づいて前記作業の進捗速度を含む作業進捗情報を算出して前記記憶部に記憶させる進捗情報算出部と、
前記生産物を検出する第３の検出部から取得した第３の情報に基づいて前記生産物の在庫量及び前記生産物の位置の少なくとも一方を含む生産物情報を算出して前記記憶部に記憶させる生産物情報算出部と、
前記記憶部に蓄積された前記作業者情報、前記作業進捗情報、及び前記生産物情報の内の少なくとも２つの情報の関連を示すデータを、予め定められた複数の時間帯毎に生成し、情報を提示する情報提示部に出力する情報関連抽出部と、
を有することを特徴とする情報分析装置。
【請求項２】
前記情報関連抽出部は、前記複数の時間帯の各々における前記作業の進捗速度と前記作業者の行動速度との関連を前記データとして生成することを特徴とする請求項１に記載の情報分析装置。
【請求項３】
前記情報関連抽出部は、前記複数の時間帯の各々における前記作業の進捗速度と前記生産物の在庫量との関連を前記データとして生成することを特徴とする請求項１又は２に記載の情報分析装置。
【請求項４】
前記情報関連抽出部は、前記複数の時間帯の各々における前記生産物の在庫量と前記作業者の行動速度との関連を前記データとして生成することを特徴とする請求項１から３のいずれか１項に記載の情報分析装置。
【請求項５】
前記情報関連抽出部は、前記複数の時間帯の各々における前記作業者の位置と前記生産物の在庫量との関連を前記データとして生成することを特徴とする請求項１から４のいずれか１項に記載の情報分析装置。
【請求項６】
前記情報関連抽出部は、前記複数の時間帯の各々における前記作業者の位置と前記作業の進捗速度との関連を前記データとして生成することを特徴とする請求項１から５のいずれか１項に記載の情報分析装置。
【請求項７】
前記生産物は、完成した最終生産物と、完成前の途中生産物とを含み、
前記情報関連抽出部は、前記作業の進捗速度が予め定められた基準速度より遅い時間帯において前記途中生産物の在庫量が予め定められた基準量より少ないと判定された場合、前記途中生産物の在庫量が少ないことを示す情報を前記情報提示部に出力する
ことを特徴とする請求項１から６のいずれか１項に記載の情報分析装置。
【請求項８】
前記情報関連抽出部は、前記作業の進捗速度が予め定められた基準進捗速度より遅い時間帯において前記作業者の位置が予め定められた作業位置から外れている不在作業者があると判定した場合、前記不在作業者を示す情報を前記情報提示部に出力する
ことを特徴とする請求項１から７のいずれか１項に記載の情報分析装置。
【請求項９】
前記生産物は、完成した最終生産物と、完成前の途中生産物とを含み、
前記情報関連抽出部は、前記生産物の在庫量が予め定められた基準量より少ない時間帯において前記作業者の行動速度が予め定められた基準行動速度より遅いと判定された場合、前記生産物の在庫量が少ないことを示す情報を前記情報提示部に出力する
ことを特徴とする請求項１から８のいずれか１項に記載の情報分析装置。
【請求項１０】
前記生産物は、完成した最終生産物と、完成前の途中生産物とを含み、
前記情報関連抽出部は、前記途中生産物の在庫量が予め定められた基準量より多い時間帯において、前記作業者の行動速度が予め定められた基準行動速度より遅いと判定された場合、前記作業者の行動速度が遅いことを示す情報を前記情報提示部に出力する
ことを特徴とする請求項１から９のいずれか１項に記載の情報分析装置。
【請求項１１】
生産物を生産する作業に関する情報を分析するための情報分析方法であって、
作業者の行動を検出する第１の検出部から取得した第１の情報に基づいて前記作業者の行動速度及び前記作業者の位置の少なくとも一方を含む作業者情報を算出して記憶部に記憶させるステップと、
前記作業者によって行われる前記作業を検出する第２の検出部から取得した第２の情報に基づいて前記作業の進捗速度を含む作業進捗情報を算出して前記記憶部に記憶させるステップと、
前記生産物を検出する第３の検出部から取得した第３の情報に基づいて前記生産物の在庫量及び前記生産物の位置の少なくとも一方を含む生産物情報を算出して前記記憶部に記憶させるステップと、
前記記憶部に蓄積された前記作業者情報、前記作業進捗情報、及び前記生産物情報の内の少なくとも２つの情報の関連を示すデータを予め定められた複数の時間帯毎に生成し出力するステップと、
を有することを特徴とする情報分析方法。
【請求項１２】
生産物を生産する作業に関する情報を分析するための情報分析プログラムであって、
コンピュータに、
作業者の行動を検出する第１の検出部から取得した第１の情報に基づいて前記作業者の行動速度及び前記作業者の位置の少なくとも一方を含む作業者情報を算出して記憶部に記憶させる処理と、
前記作業者によって行われる前記作業を検出する第２の検出部から取得した第２の情報に基づいて前記作業の進捗速度を含む作業進捗情報を算出して前記記憶部に記憶させる処理と、
前記生産物を検出する第３の検出部から取得した第３の情報に基づいて前記生産物の在庫量及び前記生産物の位置の少なくとも一方を含む生産物情報を算出して前記記憶部に記憶させる処理と、
前記記憶部に蓄積された前記作業者情報、前記作業進捗情報、及び前記生産物情報の内の少なくとも２つの情報の関連を示すデータを予め定められた複数の時間帯毎に生成し出力する処理と、
を実行させることを特徴とする情報分析プログラム。
【発明の詳細な説明】
【技術分野】
【０００１】
本発明は、生産物を生産する作業に関する情報を分析する情報分析装置、並びに、生産物を生産する作業に関する情報を分析するために用いられる情報分析方法及び情報分析プログラムに関する。
【背景技術】
【０００２】
工場における業務を円滑に進めるために、ＰＤＣＡ（ｐｌａｎ−ｄｏ−ｃｈｅｃｋ−ａｃｔ）と呼ばれる方法が用いられている。ＰＤＣＡは、Ｐｌａｎ（計画）、Ｄｏ（実行）、Ｃｈｅｃｋ（評価）、Ａｃｔ（改善）の４段階を繰り返すことによって、生産物（「製品」ともいう）と作業とを継続的に改善する方法である。ＰＤＣＡを用いることで、生産物を生産する作業に関する履歴をわかりやすく可視化することができ、作業状況が把握しやすくなる。
【先行技術文献】
【特許文献】
【０００３】
【特許文献１】特開２０１２−２２６０２号公報
【発明の概要】
【発明が解決しようとする課題】
【０００４】
しかしながら、作業者が、可視化されたデータから長期間にわたるデータの傾向（例えば、長期間にわたるデータの緩やかな変化）を抽出し把握することは難しい。このため、作業者は、長期間にわたる作業の状況を正確に把握することができず、作業を適切に改善することができない場合がある。【０００５】
本発明は、上記従来の課題を解決するためになされたものであり、生産物を生産する作業に関する履歴情報から履歴情報の相互の関連を示すデータを抽出し、作業者が把握しやすい形式で抽出結果のデータを提示することを可能にする情報分析装置、情報分析方法、及び情報分析プログラムを提供することを目的とする。
【課題を解決するための手段】
【０００６】
本発明の一態様に係る情報分析装置は、生産物を生産する作業に関する情報を分析する情報分析装置であって、情報を処理する処理部と、記憶部と、を有し、前記処理部は、作業者の行動を検出する第１の検出部から取得した第１の情報に基づいて前記作業者の行動速度及び前記作業者の位置の少なくとも一方を含む作業者情報を算出して前記記憶部に記憶させる作業者情報算出部と、前記作業者によって行われる前記作業を検出する第２の検出部から取得した第２の情報に基づいて前記作業の進捗速度を含む作業進捗情報を算出して前記記憶部に記憶させる進捗情報算出部と、前記生産物を検出する第３の検出部から取得した第３の情報に基づいて前記生産物の在庫量及び前記生産物の位置の少なくとも一方を含む生産物情報を算出して前記記憶部に記憶させる生産物情報算出部と、前記記憶部に蓄積された前記作業者情報、前記作業進捗情報、及び前記生産物情報の内の少なくとも２つの情報の関連を示すデータを予め定められた複数の時間帯毎に生成し、情報を提示する情報提示部に出力する情報関連抽出部と、を有することを特徴とする。【０００７】
本発明の他の態様に係る情報分析方法は、生産物を生産する作業に関する情報を分析するための情報分析方法であって、作業者の行動を検出する第１の検出部から取得した第１の情報に基づいて前記作業者の行動速度及び前記作業者の位置の少なくとも一方を含む作業者情報を算出して記憶部に記憶させるステップと、前記作業者によって行われる前記作業を検出する第２の検出部から取得した第２の情報に基づいて前記作業の進捗速度を含む作業進捗情報を算出して前記記憶部に記憶させるステップと、前記生産物を検出する第３の検出部から取得した第３の情報に基づいて前記生産物の在庫量及び前記生産物の位置の少なくとも一方を含む生産物情報を算出して前記記憶部に記憶させるステップと、前記記憶部に蓄積された前記作業者情報、前記作業進捗情報、及び前記生産物情報の内の少なくとも２つの情報の関連を示すデータを予め定められた複数の時間帯毎に生成し出力するステップと、を有することを特徴とする。
【発明の効果】
【０００８】
本発明によれば、生産物を生産する作業に関する履歴情報から履歴情報の相互の関連を示すデータを抽出し、作業者が把握しやすい形式で抽出結果のデータを提示することができる。そのため、作業者は、作業を適切に改善することができる。
【図面の簡単な説明】
【０００９】
【図１】本発明の実施の形態に係る情報分析装置を概略的に示す機能ブロック図である。
【図２】実施の形態に係る情報分析装置の動作を示す説明図である。
【図３】実施の形態に係る情報分析装置のハードウェア構成を概略的に示す図である。
【図４】実施の形態に係る情報分析装置の情報関連抽出部の動作を示すフローチャートである。
【図５】実施の形態に係る情報分析装置の情報関連抽出部が出力する分析結果のデータの例を示す図である。
【発明を実施するための形態】
【００１０】
以下に、本発明の実施の形態に係る情報分析装置、情報分析方法、及び情報分析プログラムを、添付図面を参照しながら説明する。以下の実施の形態は、例にすぎず、本発明の範囲内で種々の変更が可能である。
【００１１】
《１》構成
図１は、本発明の実施の形態に係る情報分析装置１を概略的に示す機能ブロック図である。また、図２は、情報分析装置１の動作を示す説明図である。情報分析装置１は、実施の形態に係る情報分析方法を実施することができる装置である。図１に示されるように、情報分析装置１は、検出手段５から生産物の生産に関する情報を取得し、取得した情報を処理する処理部２と、情報を記憶する記憶部３とを有する。
【００１２】
情報分析装置１には、作業者に情報を提示する情報提示部４が接続される。情報提示部４は、例えば、作業者に映像を提供する表示装置４１を含む。情報提示部４は、情報分析装置１の一部として設けられてもよい。
【００１３】
情報分析装置１には、検出手段５が接続される。検出手段５は、例えば、作業者（例えば、図２における作業者６＿ｉ）を検出するための第１の検出部５１と、作業者が行う作業（例えば、図２における途中生産物７＿ｉ）を検出する第２の検出部５２と、生産物（例えば、図２における生産物８＿ｋ）を検出する第３の検出部５３とを有する。検出手段５は、例えば、製造実行システム（Ｍａｎｕｆａｃｔｕｒｉｎｇ  Ｅｘｅｃｕｔｉｏｎ  Ｓｙｓｔｅｍ：ＭＥＳ）において作業者、作業、及び生産物を撮影するカメラ、これらを検出するセンサ、又は作業者が操作する入力装置などである。検出手段５による検出は、繰り返し又は連続的に行われる。また、検出手段５による検出結果は、検出日時を示す日時情報を含んでもよい。
【００１４】
図１に示されるように、処理部２は、作業者情報算出部２１と、進捗情報算出部２２と、生産物情報算出部２３と、情報関連抽出部２４とを有する。
【００１５】
作業者情報算出部２１は、作業者（例えば、図２における６＿ｉ）の行動を検出する手段である第１の検出部（図２におけるカメラ）５１から取得した第１の情報５１Ａに基づいて作業者の行動速度及び作業者の位置の少なくとも一方を含む作業者情報Ａ＿ｉ（ｉは正の整数）を算出し、記憶部３に出力して記憶させる。ｉは、作業者を区別する番号である。記憶部３には、時間の経過に伴い作業者情報Ａ＿ｉが蓄積される。蓄積された作業者情報Ａ＿ｉは、作業者情報群３１を構成する。第１の検出部５１は、例えば、作業者を撮影するカメラ（図２に示される）又は作業者を検出対象とするセンサである。
【００１６】
作業者の位置は、カメラ画像の解析によって検出することができる。また、作業者の位置は、ビーコン発信器から発信されるビーコンを受信する受信器を作業者が携帯することで検出することもできる。作業者の位置の検出方法に制限はなく、他のどのような方法を用いて検出してもよい。
【００１７】
作業者の行動（例えば、行動速度）は、カメラ画像の解析によって検出することができる。また、作業者の行動は、例えば、カメラ画像を解析することで得られた人体の骨格（ボーン）の動きから推測することもできる。また、作業者の行動は、作業者の手又は足などに装着された位置センサによって検出してもよい。また、作業者の行動は、カメラ画像から検出される指先の動き又は視線の動きといった人体の動き、及び心拍数又は疲労度といった生体情報などを含んでもよい。さらに、作業者の行動は、立つ、座る、ねじ止めをする、はんだ付けをするなどのような、特定の行動として検出してもよい。作業者の行動の検出方法に制限はなく、他のどのような方法を用いて検出してもよい。
【００１８】
進捗情報算出部２２は、作業者によって行われる作業を検出する手段である第２の検出部５２から取得した第２の情報５２Ｂに基づいて作業の進捗速度を含む作業進捗情報Ｂ＿ｊ（ｊは正の整数）を算出し、記憶部３に出力して記憶させる。ｊは、作業を区別する番号である。また、第２の検出部５２は、例えば、作業者が操作するＭＥＳの入力装置、作業者又は途中生産物（例えば、図２に示される７＿ｊ）を撮影するカメラ、又は作業者又は途中生産物を検出対象とするセンサである。作業の進捗速度の検出方法に制限はなく、他のどのような方法を用いて検出してもよい。
【００１９】
生産物情報算出部２３は、生産物を検出する手段である第３の検出部５３から取得した第３の情報５３Ｃに基づいて生産物の在庫量及び生産物の位置の少なくとも一方を含む生産物情報Ｃ＿ｋ（ｋは正の整数）を算出し、記憶部３に出力して記憶させる。ｋは、生産物を区別する番号である。また、第３の検出部５３は、例えば、作業者が操作するＭＥＳの入力装置、生産物（例えば、図２に示される８＿ｋ）を撮影するカメラ、又は生産物を検出対象とするセンサである。生産物は、完成した生産物である最終生産物（例えば、図２に示される８＿ｋ）と完成前の生産物である途中生産物（例えば、図２に示される７＿ｊ）のいずれかを含む。
【００２０】
生産物情報算出部２３は、例えば、作業に使用する材料の位置と在庫量、作業の結果生産される生産物（図２における８＿ｋ）の位置と在庫量、並びに途中生産物（図２における７＿ｊ）の位置と在庫量を算出してもよい。生産物の位置は、例えば、各生産物に取り付けられた位置センサによって検出されてもよい。在庫量は、例えば、カメラ画像を解析することによって、又は生産物の予め定められた置き場所に置かれた生産物の数を記録することによって検出されてもよい。また、在庫量は、人による入力操作、生産物の合計重量の計測などによって検出されてもよい。在庫量の検出方法に制限はなく、他のどのような方法を用いて検出してもよい。
【００２１】
情報関連抽出部２４は、記憶部３に蓄積された履歴情報である作業者情報Ａ＿ｉ（ｉ＝１，２，…）、作業進捗情報Ｂ＿ｊ（ｊ＝１，２，…）、及び生産物情報Ｃ＿ｋ（ｋ＝１，２，…）の内の２つの情報の関連を示すデータを予め定められた複数の時間帯毎に生成する。例えば、情報関連抽出部２４は、作業者情報Ａ＿ｉと作業進捗情報Ｂ＿ｊの関連を示すデータ、作業進捗情報Ｂ＿ｊと生産物情報Ｃ＿ｋの関連を示すデータ、及び生産物情報Ｃ＿ｋと作業者情報Ａ＿ｉとの関連を示すデータのいずれかを抽出して出力する。
【００２２】
情報提示部４は、複数の時間帯（＃１，…，＃ｍ，…，＃Ｍ）毎に得られた前記データを出力する。情報提示部４は、例えば、表示装置４１を備えており、情報関連抽出部２４から提供されたデータを表示することで作業者にデータを提示する。
【００２３】
図３は、実施の形態に係る情報分析装置１のハードウェア構成を概略的に示す図である。図３において、図１に示される構成要素と同一又は対応する構成要素には図１に示される符号と同じ符号が付される。図３に示されるように、情報分析装置１は処理部２としてのＣＰＵ（Ｃｅｎｔｒａｌ  Ｐｒｏｃｅｓｓｉｎｇ  Ｕｎｉｔ）と、記憶部３であるメモリとを有する。情報分析装置１は、汎用のコンピュータであってもよい。メモリには、図１に示される各種の情報の他に、情報分析プログラムを格納することができる。ＣＰＵは、情報分析プログラムを実行することで、図１に示される処理部２の機能を実現することができる。
【００２４】
《２》動作
次に情報関連抽出部２４の動作を説明する。情報関連抽出部２４は、記憶部３に蓄積された履歴情報である作業者情報Ａ＿ｉ（ｉ＝１，２，…）、作業進捗情報Ｂ＿ｊ（ｊ＝１，２，…）、及び生産物情報Ｃ＿ｋ（ｋ＝１，２，…）の内の少なくとも２つの情報の関連を示すデータを予め定められた複数の時間帯＃ｍ（ｍ＝１，２，…，Ｍ）毎に生成する。時間帯は、例えば、一定の長さの時間、又は、作業者が作業を開始してから生産品が完成するまでの時間などのように設定される。情報関連抽出部２４は、複数の時間帯＃ｍ（ｍ＝１，２，…，Ｍ）毎に生成された複数の前記データ、つまり、複数の時間帯を含む長い期間における前記データを、情報提示部４に提供する。
【００２５】
以下に、情報関連抽出部２４によって抽出される２つの情報の関連を示すデータの具体例を、「例１」〜「例７」として示す。ただし、関連するデータは、以下の例に限定されない。
【００２６】
「例１」は、作業の進捗速度と、これに対応する作業を行う作業者の行動速度との関連を示すデータである。作業の進捗速度は、例えば、作業の進捗率である。作業者の行動速度は、例えば、作業者の手の動きの速さである。作業の進捗速度と、これに対応する作業を行う作業者の行動速度との関連を示すデータは、作業の進捗速度の代表値（例えば、平均値）と作業者の行動速度の代表値（例えば、平均値）との関連を示すデータであってもよい。
【００２７】
「例２」は、作業の進捗速度と、これに対応する作業によって生産された生産物の在庫量との関連を示すデータである。生産物の在庫量は、例えば、完成した生産物の台数、及び途中生産物の台数を含むことができる。作業の進捗速度と、これに対応する作業によって生産された生産物の在庫量との関連を示すデータは、作業の進捗速度の代表値（例えば、平均値）と生産物の在庫量の代表値（例えば、平均値）との関連を示すデータであってもよい。
【００２８】
「例３」は、生産物の在庫量と、これに対応する生産物の生産を作業対象とする作業者の行動速度との関連を示すデータである。生産物の在庫量は、「例２」の場合と同じである。作業者の行動速度は、例えば、作業者の手の動きの速さである。生産物の在庫量と、これに対応する作業を行う作業者の行動速度との関連を示すデータは、作業の進捗速度の代表値（例えば、平均値）と生産物の在庫量の代表値（例えば、平均値）との関連を示すデータであってもよい。「例３」は、図４及び図５に示される例である。
【００２９】
「例４」は、作業者の位置と、生産物の在庫量との関連を示すデータである。作業者の位置は、図２に作業者６＿ｉとして示されるように、例えば、複数の作業者の内の何人が予め定められた作業位置にいるかを示す作業中の作業者の割合を示す情報である。生産物の在庫量は、「例２」の場合と同じである。作業者の位置と、生産物の在庫量との関連を示すデータは、作業中の作業者の割合の代表値（例えば、平均値）と生産物の在庫量の代表値（例えば、平均値）との関連を示すデータであってもよい。
【００３０】
「例５」は、作業者の位置と、この作業者が行う作業の進捗速度との関連を示すデータである。作業者の位置は、「例４」の場合と同じである。作業者の位置と作業の進捗速度との関連を示すデータは、作業中の作業者の割合の代表値（例えば、平均値）と作業の進捗速度の代表値（例えば、平均値）との関連を示すデータであってもよい。
【００３１】
「例６」は、時間帯と、この時間帯における作業の進捗速度との関連を示すデータである。時間帯と作業の進捗速度との関連を示すデータは、時間帯と、この時間帯における作業の進捗速度の代表値（例えば、平均値）との関連を示すデータであってもよい。
【００３２】
「例７」は、上記「例１」〜「例６」の１つ以上において、関連を示すデータを長期間（すなわち、複数の時間帯を含む期間）にわたって取得された、長期間にわたる統計的変化を含むデータである。
【００３３】
情報関連抽出部２４は、抽出した情報の関連を示すデータを生成し、情報提示部４に提供する。情報提示部４は、表示装置４１に、受け取ったデータを表示する。
【００３４】
図４は、情報分析装置１の情報関連抽出部２４の動作を示すフローチャートである。
例として、図４に、途中生産物ＰＡを作業者が加工して最終生産物ＰＢを生産する作業を繰り返す場合において、生産物の在庫量と作業速度の関連を抽出する処理の流れを記載する。
【００３５】
ステップＳ１では、情報関連抽出部２４は、作業者が途中生産物ＰＡを手に取った時点から、最終生産物ＰＢを生産完了するまでの時間帯＃ｍ（ｍ＝１，２，…，Ｍ）で、作業者情報算出部２１が出力した手の動きの速度（すなわち、行動速度）の平均値を算出する。ここで、Ｍは正の整数である。
【００３６】
ステップＳ２では、情報関連抽出部２４は、同様の時間帯＃ｍで、生産物情報算出部２３が出力した最終生産物ＰＢの在庫量の平均値を算出する。
【００３７】
ステップＳ３では、情報関連抽出部２４は、ステップＳ１で算出された手の動きの速度の平均値と、ステップＳ２で算出された最終生産物ＰＢの在庫量の平均値とを、情報提示部４に出力する。以上の処理を、作業者が実施した作業の回数分（例えば、Ｍ回）繰り返す。
【００３８】
作業者情報算出部２１、進捗情報算出部２２、及び生産物情報算出部２３は、用途に応じて、不必要な情報を算出しなくてもよい。例えば、途中生産物ＰＡの在庫の枯渇によって作業の進捗が停止している場合には、作業者情報算出部２１は作業者の行動速度及び位置を算出する必要はなく、生産物情報算出部２３が、最終生産物ＰＢの在庫量を算出するだけでよい。
【００３９】
図５は、実施の形態に係る情報分析装置１の情報関連抽出部２４が出力する分析結果のデータの例を示す図である。情報提示部４は、情報関連抽出部２４から入力された分析結果のデータを、画像として表示装置４１に表示する。分析結果のデータは、文字列、表、グラフ、工場内の写真、工場の地図毎に表示してもよい。また、表示形式は、作業者が理解しやすい任意の形式であればよい。図５においては、出力例（すなわち、表示例）として、情報関連抽出部２４で算出された手の動きの速度である行動速度の平均値を示す縦軸と、生産物の在庫量の平均値を示す横軸とを有する２次元座標系に、分析結果（すなわち、算出結果）のデータをプロットしている。図５において、１個のドットは、１つの時間帯における分析結果のデータ、すなわち、図４におけるステップＳ１〜Ｓ３の処理の１ループの処理によって得られた分析結果のデータを示す。
【００４０】
《３》効果
以上に説明したように、実施の形態に係る情報分析装置１、情報分析方法、及び情報分析プログラムによれば、複数の時間帯を含む長期間にわたる作業に関する分析結果を、作業者がわかりやすい形式で提示することができる。具体的にいえば、以下の通りである。通常、作業者は、作業の行動速度が僅かに（例えば、数パーセント）低下したことに気が付かない。しかし、多数の作業者の長時間にわたる作業の結果である最終生産物の在庫量には、作業の行動速度の僅かな低下が検出可能な数値（在庫量の減少）として現われる。実施の形態に係る情報分析装置１は、このような長期間にわたる作業の結果を、作業者に把握しやすい形式で提示することを可能にする機能を持つ。
【００４１】
《４》変形例
情報関連抽出部２４は、作業の進捗速度（複数の作業者の進捗状況の代表値、例えば、平均値であってもよい）が予め定められた基準速度より遅い時間帯において途中生産物の在庫量（ある時間帯における在庫量の代表値、例えば、平均値であってもよい）が予め定められた基準量より少ないと判定された場合、途中生産物の在庫量が少ないことを示す情報を情報提示部４に出力してもよい。この場合には、途中生産物の数が不足していたことが原因で、作業の進捗速度が低下しているので、途中生産物の在庫量が少ないことを表示することで、途中生産物の生産作業を行う作業者に途中生産物の増量を促すことができる。
【００４２】
情報関連抽出部２４は、作業の進捗速度（複数の作業者の進捗状況の代表値、例えば、平均値であってもよい）が予め定められた基準進捗速度より遅い時間帯において作業者の位置が予め定められた作業位置から外れている不在作業者があると判定した場合、不在作業者を示す情報を情報提示部に出力してもよい。この場合には、作業者は、自身が決められた作業位置に居なかったことを示す表示を確認することで、不在時間が規定時間よりも長すぎたこと、又は、不在頻度が規定頻度よりも多かったことを把握できる。
【００４３】
また、情報関連抽出部２４は、途中生産物（例えば、図２における７＿ｊ）の在庫量（ある時間帯における在庫量の代表値、例えば、平均値であってもよい）が予め定められた基準量より少ない時間帯において作業者の行動速度（複数の作業者の行動速度の代表値、例えば、平均値であってもよい）が予め定められた基準行動速度より遅いと判定された場合、途中生産物の在庫量が少ないことを示す情報を情報提示部に出力してもよい。この場合には、途中生産物の数が不足していたことが原因で、作業者の行動速度が低下しているので、途中生産物の在庫量が少ないことを表示することで、途中生産物の生産作業を行う作業者に途中生産物の増量を促すことができる。
【００４４】
また、情報関連抽出部２４は、途中生産物（例えば、図２における７＿ｊ）の在庫量（ある時間帯における在庫量の代表値、例えば、平均値であってもよい）が予め定められた基準量より多い時間帯において、作業者の行動速度（複数の作業者の行動速度の代表値、例えば、平均値であってもよい）が予め定められた基準行動速度より遅いと判定された場合、作業者の行動速度が遅いことを示す情報を情報提示部に出力してもよい。この場合には、途中生産物の数が十分足りていたが、作業者の行動速度が低下しているので、途中生産物を用いて最終生産物を生産する作業を行う従業者に作業の行動速度を上げることを促すことができる。
【符号の説明】
【００４５】
１  情報分析装置、  ２  処理部、  ３  記憶部、  ４  情報提示部、  ５  検出手段、  ６＿ｉ  作業者、  ７＿ｊ  途中生産物（生産物）、  ８＿ｋ  最終生産物（生産物）、  ２１  作業者情報算出部、  ２２  進捗情報算出部、  ２３  生産物情報算出部、  ２４  情報関連抽出部、  ３１  作業者情報群、  ３２  作業進捗情報群、  ３３  生産物情報群、  ４１  表示装置、  ５１  第１の検出部、  ５１Ａ  第１の情報、  ５２  第２の検出部、  ５２Ｂ  第２の情報、  ５３  第３の検出部、  ５３Ｃ  第３の情報、  Ａ＿ｉ  作業者情報、  Ｂ＿ｊ  作業進捗情報、  Ｃ＿ｋ  生産物情報。
【図１】
2019159268.tif 000003
【図２】
2019159268.tif 000004
【図３】
2019159268.tif 000005
【図４】
2019159268.tif 000006
【図５】
2019159268.tif 000007
【国際調査報告】
2019159268.tif 000008
2019159268.tif 000009